(57)【要約】【課題】  ネットワーク複合機で処理した画像データを、他の端末で閲覧する際に、ユーザの利便性を良好にする。【解決手段】  ネットワーク複合機２００は、当該ネットワーク複合機で処理した画像データを記憶する画像データ記憶部２１２と、ネットワーク２５０に接続されたクライアント端末１００に画像データを送信する際の画像形式の指定に基づき、当該指定が、画像データ記憶部２１２に記憶された画像データとは異なる画像形式の場合に、画像データ記憶部２１２から読み出した画像データを指定された画像形式に変換するデータ変換部２０８と、クライアント端末１００からの画像データの送信要請に応じて、指定された画像形式で画像データを送信するデータ送受信部２０２とを含む。【選択図】        図１
2007013322.tif 000002
【特許請求の範囲】
【請求項１】
ネットワークに接続され、ウェブサーバ機能を有するネットワーク複合機であって、
当該ネットワーク複合機で処理した画像データを記憶する画像データ記憶部と、
前記ネットワークに接続されたクライアント端末に前記画像データを送信する際の画像形式の指定に基づき、当該指定が前記画像データ記憶部に記憶された前記画像データとは異なる画像形式の場合に、前記画像データ記憶部から読み出した前記画像データを指定された画像形式に変換するデータ変換部と、
前記クライアント端末からの前記画像データの送信要請に応じて、指定された前記画像形式で前記画像データを送信するデータ送信部と、
を含むことを特徴とするネットワーク複合機。
【請求項２】
請求項１に記載のネットワーク複合機において、
前記画像データ記憶部は、ビットマップ形式、またはＪＰＥＧ形式で前記画像データを記憶し、
前記データ変換部は、前記画像データ記憶部に記憶された前記画像データをＴｉｆｆ形式およびＰＤＦ形式に変換可能であることを特徴とするネットワーク複合機。
【請求項３】
請求項１に記載のネットワーク複合機において、
前記データ変換部は、前記画像データ記憶部から読み出した前記画像データを変換する際に、複数の画像データを統合する指示があった場合、それらを１つのファイルに統合して前記画像形式に変換することを特徴とするネットワーク複合機。
【発明の詳細な説明】
【技術分野】
【０００１】
この発明は、ネットワーク複合機に関する。
【背景技術】
【０００２】
近年、ネットワーク接続機能を有し、ウェブサーバ機能を有するファクシミリ装置が開発されている。特許文献１には、組込型のウェブサーバ機能を備え、通信履歴情報を記憶する通信履歴情報記憶手段と、この通信履歴情報をＨＴＴＰにて送出する手段と、を備えたファクシミリサーバが開示されている。このファクシミリサーバにおいて、クライアントＰＣのブラウザ等からファクシミリ等の機器設定を行ったり、ファクシミリやメールの送受信データの一覧を参照、内容の閲覧、あるいは画像ファイルとして取り込むことができるようになっている。
【特許文献１】特開平１１−５５４４８号公報
【発明の開示】
【発明が解決しようとする課題】
【０００３】
ところで、従来、ファクシミリ装置からクライアントＰＣに送信される画像ファイルの画像形式が固定されていた。たとえば、クライアントＰＣにおいて、画像ファイルをＴｉｆｆ形式でしか閲覧できなかった。しかし、クライアントＰＣ側での画像ファイルの用い方によって他の画像形式で画像ファイルを表示したいこともある。たとえば画像ファイルを印刷したい場合、Ｔｉｆｆ形式では、画像サイズをうまく設定できないという問題があった。
【０００４】
また、たとえばカラースキャン機能を有するファクシミリ装置でカラー原稿をスキャンした場合、読み取った画像データはＪＰＥＧ形式で保存される。この場合、読み取った原稿毎に異なるファイルとして保存されていた。そのため、複数の画像データを見たい場合に、一つずつ閲覧しなければならず、手間だった。
【０００５】
本発明は上記課題に鑑みてなされたものであり、その目的は、ネットワーク複合機で処理した画像データを、他の端末で閲覧する際に、ユーザの利便性を良好にする技術の提供にある。
【課題を解決するための手段】
【０００６】
本発明によれば、ネットワークに接続され、ウェブサーバ機能を有するネットワーク複合機であって、当該ネットワーク複合機で処理した画像データを記憶する画像データ記憶部と、ネットワークに接続されたクライアント端末に画像データを送信する際の画像形式の指定に基づき、当該指定が画像データ記憶部に記憶された画像データとは異なる画像形式の場合に、画像データ記憶部から読み出した画像データを指定された画像形式に変換するデータ変換部と、クライアント端末からの画像データの送信要請に応じて、指定された画像形式で画像データを送信するデータ送信部と、を含むことを特徴とするネットワーク複合機が提供される。
【０００７】
これにより、クライアント端末側で所望の画像形式の画像データを取得することができ、画像データを閲覧する際に、ユーザの利便性を良好にすることができる。
【０００８】
本発明のネットワーク複合機において、画像データ記憶部は、ビットマップ形式、またはＪＰＥＧ形式で画像データを記憶することができ、データ変換部は、画像データ記憶部に記憶された画像データをＴｉｆｆ形式およびＰＤＦ形式に変換可能に構成することができる。
【０００９】
本発明のネットワーク複合機において、データ変換部は、画像データ記憶部から読み出した画像データを変換する際に、複数の画像データを統合する指示があった場合、それらを１つのファイルに統合して画像形式に変換することができる。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、ネットワーク複合機で処理した画像データを、他の端末で閲覧する際に、ユーザの利便性を良好にすることができる。
【発明を実施するための最良の形態】
【００１２】
図１は、本実施の形態におけるネットワーク複合機およびクライアント端末を含むネットワーク構成を示すブロック図である。
【００１３】
ネットワーク複合機２００は、たとえば、ファクシミリ送受信機能、スキャナ機能、およびプリンタ機能、文書管理機能等を有するネットワークファクシミリ装置やＭＦＰ（Multi Functional Peripheral）等とすることができる。ネットワーク複合機２００は、ウェブサーバ機能を有し、ネットワーク２５０に接続されたクライアント端末１００等のクライアントＰＣに、ネットワーク複合機２００の処理データやネットワーク複合機２００で処理した画像データを送信する。また、ネットワーク複合機２００は、クライアント端末１００等のクライアントＰＣに、上記処理データや画像データを表示するためのJavaScript（登録商標）（ジャバスクリプト）プログラムを送信する。この処理は、クライアントＰＣに上記ジャバスクリプトプログラムが保存されていない場合にのみ実行される。ネットワーク複合機２００は、クライアント端末１００が初回にネットワーク複合機２００から処理データを取得する際に、当該処理データとともにジャバスクリプトプログラムを送信することができる。
【００１４】
クライアント端末１００は、たとえばパーソナルコンピュータ等のクライアントＰＣである。クライアント端末１００は、ネットワーク２５０を介して、ネットワーク複合機２００に接続される。ネットワーク２５０は、たとえばＬＡＮ（Local Area Network）等のローカルネットワークとすることができる。
【００１５】
クライアント端末１００およびネットワーク複合機２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００１６】
ネットワーク複合機２００は、データ送受信部２０２（データ送信部）、データ読出部２０４、画像形式指定受付部２０６、データ変換部２０８、処理データ記憶部２１０、および画像データ記憶部２１２を含む。なお、図１において、本発明の本質に関わらない部分の構成については省略してあり、たとえば、原稿読み取り部や画像処理部等は図示していない。
【００１７】
データ送受信部２０２は、ネットワーク２５０に接続されたクライアント端末１００等の他の端末との間でデータの送受信を行う。
【００１８】
処理データ記憶部２１０は、たとえば、スキャンデータリスト、送受信データリスト、掲示板データリスト、回覧／配信データリスト、処理依頼データリスト等、ネットワーク複合機２００で処理した処理のリストである処理データを記憶する。画像データ記憶部２１２は、ネットワーク複合機２００で処理された画像データを記憶する。本実施の形態において、画像データ記憶部２１２には、ビットマップ形式の画像データが記憶される。
【００１９】
データ読出部２０４は、処理データ記憶部２１０や画像データ記憶部２１２からデータを読み出す。データ読出部２０４は、データ送受信部２０２を介して、クライアント端末１００から処理データや画像データの送信要請があると、処理データ記憶部２１０や画像データ記憶部２１２から処理データや画像データを読み出す。
【００２０】
画像形式指定受付部２０６は、クライアント端末１００からデータ送受信部２０２を介して、送信する画像データの画像形式の指定を受け付ける。データ変換部２０８は、画像データを、画像形式指定受付部２０６が受け付けた指定された画像形式の画像データに変換する。画像形式指定受付部２０６は、データ読出部２０４が読み出した画像データが指定された画像形式であるか否かを判断する。データ読出部２０４が読み出した画像データが指定された画像形式でない場合、画像形式指定受付部２０６は、データ変換部２０８にその画像データの画像形式の変換を指示する。
【００２１】
本実施の形態において、画像形式指定受付部２０６は、クライアント端末１００からＴｉｆｆ形式またはＰＤＦ形式の指定を受け付ける。データ変換部２０８は、ビットマップ形式の画像データをＴｉｆｆ形式またはＰＤＦ形式に変換する。
【００２２】
データ送受信部２０２は、データ読出部２０４が読み出した処理データ、データ読出部２０４が読み出した画像データ、またはデータ変換部２０８が変換した画像データをクライアント端末１００に送信する。
【００２３】
クライアント端末１００は、データ送受信部１０２、指示受付部１０４、表示部１０６、画像形式指定処理部１０８、およびデータ記憶部１１０を含む。
【００２４】
データ送受信部１０２は、ネットワーク２５０に接続されたネットワーク複合機２００等の他の端末との間でデータの送受信を行う。具体的には、データ送受信部１０２は、ネットワーク複合機２００に処理データや画像データの送信要請を行い、ネットワーク複合機２００から処理データや画像データを受信する。データ送受信部１０２は、受信したデータをデータ記憶部１１０に記憶する。
【００２５】
また、データ送受信部１０２は、ネットワーク複合機２００から送信される処理データ等を表示するための表示処理プログラムもネットワーク複合機２００から取得する。本実施の形態において、表示処理プログラムは、ジャバスクリプトプログラムである。表示部１０６は、データ送受信部１０２が受信したデータやデータ記憶部１１０に記憶されたデータ等を表示する。表示部１０６は、ブラウザ画面を表示することができる。表示部１０６が表示するブラウザ画面については後述する。
【００２６】
指示受付部１０４は、ユーザの指示を受け付ける。画像形式指定処理部１０８は、ネットワーク複合機２００に画像データの送信要請を行う際に、送信要請する画像データの画像形式を指定する処理を行う。たとえば、指示受付部１０４が画像形式の指定をユーザから受け付けた場合、画像形式指定処理部１０８は、その画像形式を指定する。また、データ記憶部１１０には、デフォルトの画像形式の設定を記憶しておくことができる。画像形式指定処理部１０８は、ユーザから画像形式の指定がない場合は、データ記憶部１１０を参照して、デフォルトの画像形式を指定する。なお、ユーザは予めどの画像形式で画像データの送信要請を行うかを入力しておき、それをデフォルトとしてデータ記憶部１１０に記憶しておくこともできる。本実施の形態において、画像形式指定処理部１０８が指定する画像形式は、Ｔｉｆｆ形式、またはＰＤＦ形式である。なお、本実施の形態において、クライアント端末１００は、アクロバットリーダー等、一般的なＰＤＦファイルの閲覧用ソフトを含む構成とすることができる。これにより、ＰＤＦ形式で画像データを取得することにより、ＰＤＦファイルの閲覧用ソフトを用いてサイズ調整等を行った後に印刷処理をすることができる。
【００２７】
次に、表示部１０６が表示するブラウザ画面を説明する。表示部１０６は、ネットワーク複合機２００から送信される上記ジャバスクリプトプログラムにより、図２に示したようなブラウザ画面を表示可能となる。ここでは、ネットワーク複合機２００から、スキャン、送信、受信、共有受信、掲示板、回覧／配信、処理依頼、およびオプション用のフォルダが処理データとして送信され、ブラウザ画面３００にフォルダ毎に一覧リストとして表示される。また、これらのフォルダのタブ３０２ａ〜３０２ｈが表示されており、いずれかのタブ３０２ａ〜３０２ｈを選択（クリック）することにより、そのフォルダの一覧リストが表示される。ここでは、処理依頼フォルダの一覧リストが表示されている。
【００２８】
処理依頼のフォルダでは、件名、詳細、処理状況、依頼者、担当者、文書分類、日時という複数の項目と、それらに対応するデータを含む一覧リストが表示される。また、ここでは、複数の項目のうち、一部の項目の項目名は、キーワード入力ボックス３０４ａ〜３０４ｅ内に表示される。各キーワード入力ボックス３０４ａ〜３０４ｅはプルダウン式で、一覧リストにおいて、対応する項目として記憶されている文字列を選択可能なキーワードとして表示する構成となっている。ユーザがいずれかのキーワード入力ボックスをプルダウン表示させ、いずれかの文字列を選択すると、その文字列が、キーワードとして取り扱われる。これにより、ブラウザ画面３００に表示されているリストのうち、所望のキーワードを選択することにより、一覧リストをフィルタ処理して絞り込んで表示することができる。
【００２９】
また、各フォルダにおいて、たとえば表示件数の設定や、表示ページの設定等を行うことができるようになっている。
【００３０】
さらに、項目「件名」には、各画像データのタイトルとともに、「Ｔｉｆｆ」ボタンおよび「ＰＤＦ」ボタンが表示されている。ユーザが「Ｔｉｆｆ」ボタンまたは「ＰＤＦ」ボタンのいずれかを選択（クリック）すると、指示受付部１０４は、画像データの送信要請および、Ｔｉｆｆ形式またはＰＤＦ形式の画像形式を受け付ける。画像形式指定処理部１０８は、指示受付部１０４が受け付けた画像形式を送信要請する画像データの画像形式として指定する。データ送受信部１０２は、画像データの送信要請を、画像形式の指定とともにネットワーク複合機２００に送信する。
【００３１】
他の例として、表示部１０６が「Ｔｉｆｆ」ボタンおよび「ＰＤＦ」ボタンを表示しない構成とすることもできる。この場合、ユーザが予め設定画面等からネットワーク複合機２００から取得する画像データの画像形式の設定をしておくことができる。設定画面は、オプションフォルダから開けるようにすることができる。この設定は、データ記憶部１１０に画像形式のデフォルトとして記憶される。この場合、ユーザがいずれかの画像データを選択すると、指示受付部１０４は、画像データの送信要請を受け付ける。画像形式指定処理部１０８は、データ記憶部１１０を参照して、デフォルトとして設定された画像形式を送信要請する画像データの画像形式として指定する。データ送受信部１０２は、画像データの送信要請を、画像形式の指定とともにネットワーク複合機２００に送信する。
【００３２】
図３は、ネットワーク複合機２００およびクライアント端末１００の処理手順を示すフローチャートである。
処理データの送信要請があると（Ｓ１００のＹＥＳ）、データ送受信部１０２は、ネットワーク複合機２００に処理データの送信要請を行う（Ｓ１０２）。本実施の形態において、処理データの送信要請は、ユーザがブラウザ画面３００にログインしたときに行われるようにすることができる。
【００３３】
ネットワーク複合機２００において、データ読出部２０４は、データ送受信部２０２を介して処理データの送信要請を受け、所定の処理データを処理データ記憶部２１０から読み出す。データ送受信部２０２は、データ読出部２０４が読み出した処理データをクライアント端末１００に送信する（Ｓ１０４）。
【００３４】
クライアント端末１００において、ネットワーク複合機２００から送信された処理データが表示部１０６によりリスト表示される（Ｓ１０６）。
【００３５】
クライアント端末１００において、指示受付部１０４が画像データの送信要請を受け付けると（Ｓ１０８のＹＥＳ）、画像形式指定処理部１０８は、画像形式が指定されているか否かを判断する（Ｓ１１０）。また、画像形式が指定されている場合（Ｓ１１０のＹＥＳ）、画像形式指定処理部１０８は、その画像形式をデータ記憶部１１０にデフォルトとして記憶するか否かを判断する（Ｓ１１２）。その画像形式をデフォルトとして記憶する場合（Ｓ１１２のＹＥＳ）、画像形式指定処理部１０８は、データ記憶部１１０にその画像形式を記憶する（Ｓ１１４）。これにより、一度指定した画像形式をデフォルト設定することができる。一方、ステップＳ１１０において、画像形式が指定されていない場合（Ｓ１１０のＮＯ）、画像形式指定処理部１０８は、データ記憶部１１０を参照して、デフォルトとして指定された画像形式を指定する（Ｓ１１６）。
【００３６】
つづいて、データ送受信部１０２は、指定された画像形式および画像データの要請をネットワーク複合機２００に送信する（Ｓ１１８）。
【００３７】
ネットワーク複合機２００において、データ読出部２０４は、画像データ記憶部２１２から画像データを読み出す（Ｓ１２０）。画像形式指定受付部２０６は、データ読出部２０４が読み出した画像データの画像形式が、指定された画像形式か否かを判断し、画像形式を変換するか否かを判断する（Ｓ１２２）。画像データの画像形式の変換が必要な場合（Ｓ１２２のＹＥＳ）、データ変換部２０８によりデータ変換が行われる（Ｓ１２４）。変換が必要ない場合（Ｓ１２２のＮＯ）、そのままステップＳ１２６に進む。データ送受信部２０２は、指定された画像形式の画像データをクライアント端末１００に送信する（Ｓ１２６）。
【００３８】
クライアント端末１００において、表示部１０６は、ネットワーク複合機２００から送信された画像データを表示する（Ｓ１２８）。なお、ネットワーク複合機２００から送信された画像データがＰＤＦ形式の場合、アクロバットリーダーにより、画像データを閲覧することができる。この後、たとえば印刷処理等、適宜処理が行われる。
【００３９】
本実施の形態におけるネットワーク複合機２００によれば、クライアント端末１００に、指定された画像形式の画像データを送信することができる。これにより、ネットワーク複合機２００において、ユーザが所望の画像形式で画像データを表示することができ、ユーザの利便性を良好にすることができる。
【００４０】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４１】
以上の実施の形態においては、クライアント端末１００のデータ記憶部１１０に画像形式のデフォルトが記憶される例を示したが、画像形式のデフォルトは、ネットワーク複合機２００に記憶しておくこともできる。この場合、ネットワーク複合機２００は、画像形式のデフォルトをユーザＩＤに対応付けて記憶することができる。クライアント端末１００からは、ネットワーク複合機２００に画像データの送信要請を行う際に、ユーザＩＤも送信されるようにすることができる。これにより、ネットワーク複合機２００において、ユーザ毎に、デフォルト設定された画像形式の画像データを生成してクライアント端末１００に送信することができる。
【００４２】
また、以上の実施の形態において、ネットワーク複合機２００の画像データ記憶部２１２にビットマップ形式の画像データが記憶された例を示した。しかし、画像データ記憶部２１２には、たとえばＴｉｆｆ形式の画像データを記憶しておくこともできる。この場合、画像形式指定受付部２０６がＴｉｆｆ形式の画像データの送信を受け付けた場合、データ変換部２０８による画像データの変換を行うことなく、クライアント端末１００に画像データが送信される。
【００４３】
さらに、クライアント端末１００において、表示部１０６は、複数の画像データを１ファイルにまとめる指示を入力するための「統合」ボタンを表示することができる。ユーザが複数の画像ファイルを選択するとともに、「統合」ボタンを選択すると、その指示がネットワーク複合機２００に送信される。ネットワーク複合機２００において、画像形式指定受付部２０６は、画像形式の指定とともに複数の画像データを統合する指示も受け付ける。データ変換部２０８は、それらの画像データを１つのファイルに統合して指定された画像形式に変換する。
【００４４】
これにより、たとえばネットワーク複合機２００がカラー画像データを取得可能な場合であって、画像データ記憶部２１２にＪＰＥＧ形式の画像データが記憶されている場合に、複数の画像データを１つのファイルとして取り扱うことができる。上述したように、従来、カラースキャン機能を有するネットワーク複合機２００でカラー原稿をスキャンした場合、読み取った画像データは、ＪＰＥＧ形式で原稿毎に異なるファイルとして保存されていた。しかし、ＪＰＥＧ形式の複数の画像データをたとえばＰＤＦ形式に変換する際に、１つのファイルに統合すれば、クライアント端末１００において、それらを１つのファイルとしてまとめて表示したり、印刷処理をすることができる。
【図面の簡単な説明】
【００４５】
【図１】本発明の実施の形態におけるネットワーク複合機およびクライアント端末を含むネットワーク構成を示すブロック図である。
【図２】表示部により表示されるブラウザ表示画面を示す図である。
【図３】本発明の実施の形態におけるネットワーク複合機およびクライアント端末の処理手順を示すフローチャートである。
【符号の説明】
【００４６】
１００  クライアント端末
１０２  データ送受信部
１０４  指示受付部
１０６  表示部
１１０  データ記憶部
２００  ネットワーク複合機
２０２  データ送受信部
２０４  データ読出部
２０６  画像形式指定受付部
２０８  データ変換部
２１０  処理データ記憶部
２１２  画像データ記憶部
【図１】
2007013322.tif 000003
【図２】
2007013322.tif 000004
【図３】
2007013322.tif 000005